(57)【特許請求の範囲】
【請求項１】
移動局が在圏する無線アクセスネットワークを判定する移動通信方法であって、
第１通信方式のノード及び第２通信方式のノードの少なくとも一方が、加入者管理サーバから在圏確認要求信号を受信した場合、無線アクセスネットワーク装置に対して、該移動局が在圏する無線アクセスネットワークの切り替えを制限するように指示する無線切り替え制限情報を送信する工程Ａと、
前記第１通信方式のノード及び前記第２通信方式のノードの少なくとも一方が、前記加入者管理サーバに対して、前記移動局が在圏する無線アクセスネットワークに係る情報を含む在圏確認結果を送信する工程Ｂとを有することを特徴とする移動通信方法。
【請求項２】
前記工程Ａは、
前記第１通信方式のノード及び前記第２通信方式のノードの少なくとも一方が、前記無線アクセスネットワーク装置を介して、前記移動局に対する呼び出し信号を送信する工程と、
前記第１通信方式のノード及び前記第２通信方式のノードの少なくとも一方が、前記移動局のネットワークへの接続処理において、該移動局が在圏する無線アクセスネットワークに対して、無線アクセスネットワークの切り替えを制限するように指示する無線切り替え制限情報を送信する工程とを有することを特徴とする請求項１に記載の移動通信方法。
【請求項３】
前記無線切り替え制限情報は、前記移動局が在圏する無線アクセスネットワークの切り替えを制限する期間を含むことを特徴とする請求項１又は２に記載の移動通信方法。
【請求項４】
前記無線切り替え制限情報は、前記移動局のハンドオーバを行う否かについて判断する際に用いられる閾値を含むことを特徴とする請求項１又は２に記載の移動通信方法。
【請求項５】
加入者管理サーバから在圏確認要求信号を受信した場合、無線アクセスネットワーク装置に対して、該移動局が在圏する無線アクセスネットワークの切り替えを制限するように指示する無線切り替え制限情報を送信するように構成されており、
前記加入者管理サーバに対して、前記移動局が在圏する無線アクセスネットワークに係る情報を含む在圏確認結果を送信するように構成されていることを特徴とするノード。
【請求項６】
在圏ノードから、移動局が在圏する無線アクセスネットワークの切り替えを制限するように指示する無線切り替え制限情報を受信した場合、該無線切り替え制限情報に基づいて、該移動局が在圏する無線アクセスネットワークの切り替えを制限するように構成されていることを特徴とする無線アクセスネットワーク装置。
【発明の詳細な説明】
【技術分野】
【０００１】
本発明は、移動通信方法及びノードに関する。
【背景技術】
【０００２】
３ＧＰＰにおいて規定されている「Ｔ-ＡＤＳ（Ｔｅｒｍｉｎａｔｉｎｇ  Ａｃｃｅｓｓ  Ｄｏｍａｉｎ  Ｓｅｌｅｃｔｉｏｎ）」機能のように、ＨＳＳ（Ｈｏｍｅ  Ｓｕｂｓｃｒｉｂｅｒ  Ｓｅｒｖｅｒ、加入者管理サーバ）が、ＭＭＥ（Ｍｏｂｉｌｉｔｙ  Ｍａｎａｇｅｍｅｎｔ  Ｅｎｔｉｔｙ、移動管理ノード）やＳＧＳＮ（Ｓｅｒｖｉｎｇ  ＧＰＲＳ  Ｓｕｐｐｏｒｔ  Ｎｏｄｅ、パケット交換機）に対して、ＵＥ（Ｕｓｅｒ  Ｅｑｕｉｐｍｅｎｔ）が在圏するＲＡＴ（Ｒａｄｉｏ  Ａｃｃｅｓｓ  Ｔｅｃｈｎｏｌｏｇｙ、無線アクセスネットワーク）を問い合わせる技術が知られている（例えば、非特許文献１参照）。
【先行技術文献】
【非特許文献】
【０００３】
【非特許文献１】３ＧＰＰ  ＴＳ２３.２９２
【発明の概要】
【発明が解決しようとする課題】
【０００４】
しかしながら、かかる技術において、ＭＭＥやＳＧＳＮが、ＵＥが在圏するＲＡＴを判断した後、ＨＳＳに対して応答している間に、ＵＥが、ハンドオーバ等によって在圏するＲＡＴを切り替えてしまった場合には、ＨＳＳは、正確なＵＥが在圏するＲＡＴに係る情報を取得できなくなってしまうという問題点があった。
【０００５】
そこで、本発明は、上述の課題に鑑みてなされたものであり、ＨＳＳが、ＵＥが在圏するＲＡＴに係る情報を正確に取得することができる移動通信方法及びノードを提供することを目的とする。
【課題を解決するための手段】
【０００６】
本発明の第１の特徴は、移動局が在圏する無線アクセスネットワークを判定する移動通信方法であって、前記第１通信方式のノード及び前記第２通信方式のノードの少なくとも一方が、加入者管理サーバから在圏確認要求信号を受信した場合、無線アクセスネットワーク装置に対して、該移動局が在圏する無線アクセスネットワークの切り替えを制限するように指示する無線切り替え制限情報を送信する工程Ａと、前記第１通信方式のノード及び前記第２通信方式のノードの少なくとも一方が、前記加入者管理サーバに対して、前記移動局が在圏する無線アクセスネットワークに係る情報を含む在圏確認結果を送信する工程Ｂとを有することを要旨とする。
【０００７】
本発明の第２の特徴は、ノードであって、加入者管理サーバから在圏確認要求信号を受信した場合、無線アクセスネットワーク装置に対して、該移動局が在圏する無線アクセスネットワークの切り替えを制限するように指示する無線切り替え制限情報を送信するように構成されており、前記加入者管理サーバに対して、前記移動局が在圏する無線アクセスネットワークに係る情報を含む在圏確認結果を送信するように構成されていることを要旨とする。
【０００８】
本発明の第３の特徴は、無線アクセスネットワーク装置であって、在圏ノードから、移動局が在圏する無線アクセスネットワークの切り替えを制限するように指示する無線切り替え制限情報を受信した場合、該無線切り替え制限情報に基づいて、該移動局が在圏する無線アクセスネットワークの切り替えを制限するように構成されていることを要旨とする。
【発明の効果】
【０００９】
以上説明したように、本発明によれば、ＨＳＳが、ＵＥが在圏するＲＡＴに係る情報を正確に取得することができる移動通信方法及びノードを提供することができる。
【図面の簡単な説明】
【００１０】
【図１】本発明の第１の実施形態に係る移動通信システムの全体構成を示す図である。
【図２】本発明の第１の実施形態に係る移動通信システムの動作について示すシーケンス図である。
【図３】本発明の第１の実施形態に係る移動通信システムで用いられる「Ｓ１ＡＰ：Ｉｎｉｔｉａｌ  Ｃｏｎｔｅｘｔ  Ｓｅｔｕｐ  Ｒｅｑｕｅｓｔ」のフォーマット例について示す図である。
【図４】本発明の第１の実施形態に係る移動通信システムの動作について示すシーケンス図である。
【図５】本発明の第１の実施形態に係る移動通信システムで用いられる「Ｓ１ＡＰ：ＵＥ  Ｃｏｎｔｅｘｔ  Ｍｏｄｉｆｉｃａｔｉｏｎ  Ｒｅｑｕｅｓｔ」のフォーマット例について示す図である。
【図６】本発明の第１の実施形態に係る移動通信システムの動作について示すシーケンス図である。
【発明を実施するための形態】
【００１１】
（本発明の第１の実施形態に係る移動通信システム）
図１乃至図６を参照して、本発明の第１の実施形態に係る移動通信システムについて説明する。
【００１２】
図１に示すように、本実施形態に係る移動通信システムは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＧＥＲＡＮ（ＧＳＭ  ＥＤＧＥ  Ｒａｄｉｏ  Ａｃｃｅｓｓ  Ｎｅｔｗｏｒｋ）及びＥ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を具備している。
【００１３】
なお、ＵＴＲＡＮ/ＧＥＲＡＮには、無線アクセスネットワーク装置として、ＲＮＣ（Ｒａｄｉｏ  Ｎｅｔｗｏｒｋ  Ｃｏｎｔｒｏｌｌｅｒ、無線回線制御局）及びＮｏｄｅＢ/ＢＳＳ（無線基地局）が設けられており、Ｅ-ＵＴＲＡＮには、無線アクセスネットワーク装置として、ｅＮＢ（無線基地局）が設けられている。
【００１４】
また、本実施形態に係る移動通信システムは、ＨＳＳや、ＳＧＳＮや、ＭＳＣ（Ｍｏｂｉｌｅ-ｓｅｒｖｉｃｅ  Ｓｗｉｔｃｈｉｎｇ  Ｃｅｎｔｅｒ、回線交換機）や、ＭＭＥや、Ｓ/Ｐ-ＧＷ（Ｓｅｒｖｉｎｇ/ＰＤＮ-Ｇａｔｅｗａｙ、ゲートウェイ装置）や、ＳＣＣ-ＡＳ（Ｓｅｒｖｉｃｅ  Ｃｅｎｔｒａｌｉｚａｔｉｏｎ  ａｎｄ  Ｃｏｎｔｉｎｕｉｔｙ-Ａｐｐｌｉｃａｔｉｏｎ  Ｓｅｒｖｅｒ）や、Ｓ-ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）や、ＭＧＣＦ（Ｍｅｄｉａ  Ｇａｔｅｗａｙ  Ｃｏｎｔｒｏｌ  Ｆｕｎｃｔｉｏｎ）や、Ｐ-ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）等を具備している。
【００１５】
なお、本実施形態に係る移動通信システムは、３ＧＰＰのＴＳ２３.２９２に規定されている「Ｔ-ＡＤＳ」機能を用いて、音声呼の着信時に、ＰＳ（Ｐａｃｋｅｔ  Ｓｗｉｔｃｈ、パケット交換）ドメインに着信させて「ＶｏＩＰ（Ｖｏｉｃｅ  ｏｖｅｒ  ＩＰ）サービスを提供すべきか、或いは、ＣＳ（Ｃｉｒｃｕｉｔ  Ｓｗｉｔｃｈ、回線交換）ドメインに着信させるべきかについて判断することができるように構成されていてもよい。
【００１６】
以下、図２乃至図６を参照して、本実施形態に係る移動通信システムの動作について説明する。
【００１７】
第１に、図２及び図３を参照して、本実施形態に係る移動通信システムにおいて、ＵＥが「ＩＤＬＥ状態（アイドル状態）」である場合の動作について説明する。
【００１８】
図１に示すように、ステップＳ１００１において、ＨＳＳは、在圏解決要求信号を受信する。
【００１９】
例えば、かかる在圏解決要求信号は、ＳＣＣ-ＡＳがＳ-ＣＳＣＦを介してＵＥ宛ての「Ｉｎｖｉｔｅ」を受信した場合に送信される信号であって、ＵＥの在圏情報（例えば、在圏ＲＡＴ種別や問い合わせ在圏装置に対するＵＥの最終アクセス時刻やＵＥの在圏セルの情報等）について問い合わせるための問い合わせ信号であってもよい。
【００２０】
ステップＳ１００２において、ＨＳＳは、ＭＭＥに対して、ＵＥの在圏情報を確認することを要求する在圏確認要求信号を送信する。
【００２１】
例えば、かかる在圏確認要求信号は、ＵＥの在圏情報を確認することを要求する情報を含む「Ｉｎｓｅｒｔ  Ｓｕｂｓｃｒｉｂｅｒ  Ｄａｔａ  Ｒｅｑｕｅｓｔ」であってもよい。ＵＥの在圏情報を確認することを要求する情報は、例えば、ＵＥが「ＩＤＬＥ状態」である場合に、ＵＥを「接続状態（ＡＣＴＩＶＥ状態）」へ遷移させるように指示する情報を含んでいてもよい。
【００２２】
或いは、ＨＳＳは、ＭＭＥに対して、在圏確認を要求するための従来の「Ｉｎｓｅｒｔ  Ｓｕｂｓｃｒｉｂｅｒ  Ｄａｔａ  Ｒｅｑｕｅｓｔ（この信号には、例えば、「Ｔ-ＡＤＳ  Ｄａｔａ  Ｒｅｑｕｅｓｔ」が設定される）」を送信し、ＭＭＥが、かかる「Ｉｎｓｅｒｔ  Ｓｕｂｓｃｒｉｂｅｒ  Ｄａｔａ  Ｒｅｑｕｅｓｔ」の受信を契機に、自律的に、下記に述べる「Ｐａｇｉｎｇ処理（ステップＳ１００４からＳ１０１２）」を実施するよう構成されていてもよい。
【００２３】
ここで、ＨＳＳは、ＳＧＳＮ及びＭＭＥに対して、上述の在圏確認要求信号を送信してもよいし、ＭＳＣ及びＭＭＥに対して、上述の在圏確認要求信号を送信してもよいし、ＭＳＣ及びＳＧＳＮ及びＭＭＥに対して、上述の在圏確認要求信号を送信してもよい。
【００２４】
かかる場合、ＳＧＳＮ或いはＭＳＣが、ＨＳＳから在圏確認要求信号を受信した場合、図２や図４や図６に述べるｅＮＢ及びＭＭＥを、ＲＮＣ及びＳＧＳＮ（或いは、ＭＳＣ）に置き換えた場合と同様、いずれかの処理を実施する。
【００２５】
或いは、ＨＳＳは、かかるＵＥに対する位置登録要求信号を在圏装置から一度も受信していない場合や、在圏装置におけるＵＥのコンテキスト情報が有効でない（ＵＥのコンテキスト情報が存在しないこと等を含む）ことを知っている場合に、かかる在圏装置への在圏確認要求信号の送信を実施しないように構成されていてもよい。
【００２６】
ステップＳ１００３において、ＭＭＥは、ＵＥのコンテキスト情報の有無及びＵＥの状態を確認する。図２の例では、ＭＭＥは、ＵＥのコンテキスト情報を保持しており、ＵＥの状態が「ＩＤＬＥ状態」であることを確認する。
【００２７】
ステップＳ１００４及びＳ１００５において、ＭＭＥは、ｅＮＢを介して、ＵＥに対するＰａｇｉｎｇ（呼び出し信号）を送信する。
【００２８】
ステップＳ１００６において、ＵＥとｅＮＢとの間で「ＲＲＣ  Ｃｏｎｎｅｃｔｉｏｎ  Ｓｅｔｕｐ」手順を行う。
【００２９】
ステップＳ１００７において、ＵＥは、ＭＭＥに対して、「Ｓｅｒｖｉｃｅ  Ｒｅｑｕｅｓｔ」を送信する。
【００３０】
ＭＭＥは、ステップＳ１００８において、受信した「Ｓｅｒｖｉｃｅ  Ｒｅｑｕｅｓｔ」を受信すると、ステップＳ１００２により受信した在圏確認要求信号の所定情報やＭＭＥの在圏確認処理に関わる設定情報や「ＩＭＳ Ｖｏｉｃｅ  ｏｖｅｒ  ＰＳ  Ｓｅｓｓｉｏｎ」の提供可否情報や加入者情報やオペレータポリシー等の少なくとも１つに基づいて、ステップＳ１００９において、ｅＮＢに対して、ＵＥの在圏ＲＡＴから他のＲＡＴへの切り替えを制限するように指示する無線切り替え制限情報を含む「Ｓ１ＡＰ：Ｉｎｉｔｉａｌ  Ｃｏｎｔｅｘｔ  Ｓｅｔｕｐ  Ｒｅｑｕｅｓｔ」を送信することを決定する。
【００３１】
ここで、かかる無線切り替え制限情報は、ＵＥのＲＡＴ切り替えを制限する期間を含んでいてもよいし、ＵＥのＲＡＴ切り替え（Ｒｅｌｅａｓｅ  ｗｉｔｈ  Ｒｅｄｉｒｅｃｔｉｏｎやハンドオーバ等）を行うか否かについて判断する際に用いられる閾値（例えば、周辺セルの強度）を含んでいてもよい。
【００３２】
また、かかる無線切り替え制限情報は、ｅＮＢが「Ｒｅｌｅａｓｅ  ｗｉｔｈ  Ｒｅｄｉｒｅｃｔｉｏｎ」或いは「ハンドオーバ」を実施することを制限する所定情報を含んでいてもよい。
【００３３】
例えば、かかる無線切り替え制限情報は、図３に示すように、「Ｓ１ＡＰ：Ｉｎｉｔｉａｌ  Ｃｏｎｔｅｘｔ  Ｓｅｔｕｐ」内の情報要素「ＲＡＴ  ｃｈａｎｇｅ  ｒｅｓｔｒｉｃｔｉｏｎ」に設定されていてもよい。
【００３４】
ステップＳ１０１０において、ＵＥとｅＮＢとの間に、無線ベアラ（Ｒａｄｉｏ  Ｂｅａｒｅｒ）が設定される。
【００３５】
ステップＳ１０１１において、ｅＮＢは、ＵＥが在圏するＲＡＴの切り替えを制限するように設定する。
【００３６】
例えば、ｅＮＢは、無線切り替え制限情報に期間が含まれている場合には、かかる期間の間、ＵＥから「Ｍｅａｓｕｒｅｍｅｎｔ  Ｒｅｐｏｒｔ」を受信した場合であっても、かかるＵＥのＲＡＴ切り替え指示を行わない。
【００３７】
或いは、ｅＮＢは、無線切り替え制限情報に閾値が含まれている場合には、ＵＥから「Ｍｅａｓｕｒｅｍｅｎｔ  Ｒｅｐｏｒｔ」を受信した際に、かかる閾値を用いて、かかるＵＥのＲＡＴ切り替えを行うか否かについて判断する。
【００３８】
また、ｅＮＢは、無線切り替え制限情報に所定情報が含まれている場合には、かかるＵＥに対して「Ｒｅｌｅａｓｅ  ｗｉｔｈ  Ｒｅｄｉｒｅｃｔｉｏｎ」処理を行わない。
【００３９】
ステップＳ１０１２において、ｅＮＢは、ＭＭＥに対して、「Ｓ１ＡＰ：Ｉｎｉｔｉａｌ  Ｃｏｎｔｅｘｔ  Ｓｅｔｕｐ  Ｒｅｓｐｏｎｓｅ」を送信する。ＭＭＥは、かかる信号を受信すると、所定時間、Ｓ１信号を開放しないように設定されていてもよい。
【００４０】
ステップＳ１０１３において、ＭＭＥは、ＨＳＳに対して、ＵＥが在圏するＲＡＴに係る情報を含む在圏確認結果を含む在圏確認応答信号を送信する。
【００４１】
なお、かかる情報は、従来規定されている在圏するＲＡＴに係る情報（例えば、ＲＡＴ種別や最終アクセス時刻、等）のみで構成されていてもよいし、ＵＥがＡＣＴＩＶＥ状態（在圏装置に接続したこと）であることを示す情報を含んでもよい。また、かかる情報は、無線切り替え制限が実施されたことを示す情報を含んでもよい。
【００４２】
例えば、かかる在圏確認応答信号は、ＵＥの在圏情報（ＵＥの在圏ＲＡＴに係る情報）を含む「Ｉｎｓｅｒｔ  Ｓｕｂｓｃｒｉｂｅｒ  Ｄａｔａ  Ａｎｓｗｅｒ」であってもよい。
【００４３】
ここで、ＭＭＥは、ＨＳＳに対して、セルＩＤ等のｅＮＢに係るＵＥの在圏情報を通知してもよい。
【００４４】
この後、ＨＳＳは、ＳＣＣ-ＡＳに対して、かかるＵＥの在圏情報を通知し、ＳＣＣ-ＡＳは、ＵＥの在圏ＲＡＴに係る情報に基づいて、着信方式を選択し、Ｓ-ＣＳＣＦに対して、かかる着信方式によって、ＵＴＲＡＮ/ＧＥＲＡＮ或いはＥ-ＵＴＲＡＮにＵＥ宛ての「Ｉｎｖｉｔｅ」を転送するように指示してもよい。
【００４５】
ここで、Ｓ-ＣＳＣＦは、ＵＴＲＡＮ/ＧＥＲＡＮに転送するように指示された場合、ＭＧＣＦ及びＭＳＣを介して、ＵＴＲＡＮ/ＧＥＲＡＮにおいて接続状態にあるＵＥに対して、「ＩＡＭ」を送信してもよい。なお、かかる信号は、「Ｉｎｖｉｔｅ」であってもよい。
【００４６】
一方、Ｓ-ＣＳＣＦは、Ｅ-ＵＴＲＡＮに転送するように指示された場合、Ｐ-ＣＳＣＦ及びＳ/Ｐ-ＧＷを介して、Ｅ-ＵＴＲＡＮにおいて接続状態にあるＵＥに対して、「Ｉｎｖｉｔｅ」を送信してもよい。
【００４７】
なお、図２及び図３の動作は、ｅＮＢがＲＮＣであり、ＭＭＥがＳＧＳＮ又はＭＳＣであるケースにおいても、同様に行われる。
【００４８】
第２に、図４及び図５を参照して、本実施形態に係る移動通信システムにおいて、ＵＥが「ＡＣＴＩＶＥ状態（アクティブ状態）」である場合の動作について、図２及び図３に示す動作との相違点に着目して説明する。
【００４９】
図４に示すように、ステップＳ２００１において、ＨＳＳは、在圏解決要求信号を受信する。
【００５０】
例えば、かかる在圏解決要求信号は、ＳＣＣ-ＡＳがＳ-ＣＳＣＦを介してＵＥ宛ての「Ｉｎｖｉｔｅ」を受信した場合に送信される信号であって、ＵＥの在圏情報（例えば、在圏ＲＡＴ種別や問い合わせ在圏装置に対するＵＥの最終アクセス時刻やＵＥの在圏セルの情報等）について問い合わせるための問い合わせ信号であってもよい。
【００５１】
ステップＳ２００２において、ＨＳＳは、ＭＭＥに対して、ＵＥの在圏情報を確認することを要求する在圏確認要求信号を送信する。
【００５２】
例えば、かかる在圏確認要求信号は、ＵＥの在圏情報を確認することを要求する情報を含む「Ｉｎｓｅｒｔ  Ｓｕｂｓｃｒｉｂｅｒ  Ｄａｔａ  Ｒｅｑｕｅｓｔ」であってもよい。
【００５３】
ＵＥの在圏情報を確認することを要求する情報は、例えば、ＵＥが「ＩＤＬＥ状態」である場合に、ＵＥを「接続状態（ＡＣＴＩＶＥ状態）」へ遷移させるように指示する情報を含んでいてもよい。
【００５４】
或いは、ＨＳＳは、ＭＭＥに対して、在圏確認を要求するための従来の「Ｉｎｓｅｒｔ  Ｓｕｂｓｃｒｉｂｅｒ  Ｄａｔａ  Ｒｅｑｕｅｓｔ（この信号には、例えば、「Ｔ-ＡＤＳ  Ｄａｔａ  Ｒｅｑｕｅｓｔ」が設定される）」を送信し、ＭＭＥが、かかる「Ｉｎｓｅｒｔ  Ｓｕｂｓｃｒｉｂｅｒ  Ｄａｔａ  Ｒｅｑｕｅｓｔ」の受信を契機に、自律的に、下記に述べる「無線ベアラ変更処理（ステップＳ２００３からＳ２００７）」を実施するよう構成されていてもよい。
【００５５】
ここで、ＨＳＳは、ＳＧＳＮ及びＭＭＥに対して、上述の在圏確認要求信号を送信してもよいし、ＭＳＣ及びＭＭＥに対して、上述の在圏確認要求信号を送信してもよいし、ＭＳＣ及びＳＧＳＮ及びＭＭＥに対して、上述の在圏確認要求信号を送信してもよい。
【００５６】
かかる場合、ＳＧＳＮ或いはＭＳＣが、ＨＳＳから在圏確認要求信号を受信した場合、図２や図４や図６に述べるｅＮＢ及びＭＭＥを、ＲＮＣ及びＳＧＳＮ（或いは、ＭＳＣ）に置き換えた場合と同様、いずれかの処理を実施する。
【００５７】
或いは、ＨＳＳは、かかるＵＥに対する位置登録要求信号を在圏装置から一度も受信していない場合や、在圏装置におけるＵＥのコンテキスト情報が有効でないことを知っている場合、かかる在圏装置への在圏確認要求信号の送信を実施しないように構成されていてもよい。
【００５８】
ステップＳ２００３において、ＭＭＥは、ＵＥのコンテキスト情報の有無及びＵＥの状態を確認する。図４の例では、ＭＭＥは、ＵＥのコンテキスト情報を保持しており、ＵＥの状態が「ＡＣＴＩＶＥ状態」であることを確認する。
【００５９】
ＭＭＥは、ステップＳ２００４において、ステップＳ２００２により受信した在圏確認要求信号の所定情報やＭＭＥの在圏確認処理に関わる設定情報や「ＩＭＳ Ｖｏｉｃｅ  ｏｖｅｒ  ＰＳ  Ｓｅｓｓｉｏｎ」の提供可否情報や加入者情報やオペレータポリシー等の少なくとも１つに基づいて、ｅＮＢに対して、ＵＥの在圏ＲＡＴから他のＲＡＴへの切り替えを制限するように指示する無線切り替え制限情報を含む「Ｓ１ＡＰ：ＵＥ  Ｃｏｎｔｅｘｔ  Ｍｏｄｉｆｉｃａｔｉｏｎ  Ｒｅｑｕｅｓｔ」を送信することを決定する。
【００６０】
ステップＳ２００５において、ＭＭＥは、ｅＮＢに対して、ＵＥの在圏ＲＡＴから他のＲＡＴへの切り替えを制限するように指示する無線切り替え制限情報を含む「Ｓ１ＡＰ：ＵＥ  Ｃｏｎｔｅｘｔ  Ｍｏｄｉｆｉｃａｔｉｏｎ  Ｒｅｑｕｅｓｔ」を送信する。
【００６１】
例えば、かかる無線切り替え制限情報は、図５に示すように、「Ｓ１ＡＰ：ＵＥ  Ｃｏｎｔｅｘｔ  Ｍｏｄｉｆｉｃａｔｉｏｎ  Ｒｅｑｕｅｓｔ」内の情報要素「ＲＡＴ  ｃｈａｎｇｅ  ｒｅｓｔｒｉｃｔｉｏｎ」に設定されていてもよい。なお、かかる無線切り替え制限情報は、図２において説明した無線切り替え制限情報と同一である。
【００６２】
ステップＳ２００６において、ｅＮＢは、図２のステップＳ１０１１と同様に、ＵＥが在圏するＲＡＴの切り替えを制限するように設定する。
【００６３】
ステップＳ２００７において、ｅＮＢは、ＭＭＥに対して、「Ｓ１ＡＰ：ＵＥ  Ｃｏｎｔｅｘｔ  Ｍｏｄｉｆｉｃａｔｉｏｎ  Ｒｅｓｐｏｎｓｅ」を送信する。ＭＭＥは、かかる信号を受信すると、所定時間、Ｓ１信号を開放しないように設定されていてもよい。
【００６４】
ステップＳ２００８において、ＭＭＥは、ＨＳＳに対して、ＵＥが在圏するＲＡＴに係る情報を含む在圏確認結果を含む在圏確認応答信号を送信する。
【００６５】
なお、かかる情報は、従来規定されている在圏するＲＡＴに係る情報（例えば、ＲＡＴ種別や最終アクセス時刻等）のみで構成されていてもよいし、ＵＥがＡＣＴＩＶＥ状態（在圏装置に接続したこと）であることを示す情報を含んでもよい。また、かかる情報は、無線切り替え制限が実施されたことを示す情報を含んでもよい。
【００６６】
例えば、かかる在圏確認応答信号は、ＵＥの在圏情報（ＵＥの在圏ＲＡＴに係る情報）を含む「Ｉｎｓｅｒｔ  Ｓｕｂｓｃｒｉｂｅｒ  Ｄａｔａ  Ａｎｓｗｅｒ」であってもよい。
【００６７】
以下の動作は、図２に示す動作と同一である。
【００６８】
なお、図４及び図５の動作は、ｅＮＢがＲＮＣであり、ＭＭＥがＳＧＳＮ又はＭＳＣであるケースにおいても、同様に行われる。
【００６９】
第３に、図６を参照して、本実施形態に係る移動通信システムにおいて、ＭＭＥが有効なＵＥのコンテキスト情報を保持していない場合の動作について、図２及び図３に示す動作との相違点に着目して説明する。
【００７０】
図６に示すように、ステップＳ３００１において、ＨＳＳは、在圏解決要求信号を受信する。
【００７１】
例えば、かかる在圏解決要求信号は、ＳＣＣ-ＡＳがＳ-ＣＳＣＦを介してＵＥ宛ての「Ｉｎｖｉｔｅ」を受信した場合に送信される信号であって、ＵＥの在圏情報（例えば、在圏ＲＡＴ種別や問い合わせ在圏装置に対するＵＥの最終アクセス時刻やＵＥの在圏セルの情報等）について問い合わせるための問い合わせ信号であってもよい。
【００７２】
ステップＳ３００２において、ＨＳＳは、ＭＭＥに対して、ＵＥの在圏情報を確認することを要求する在圏確認要求信号を送信する。
【００７３】
例えば、かかる在圏確認要求信号は、ＵＥの在圏情報を確認することを要求する情報を含む「Ｉｎｓｅｒｔ  Ｓｕｂｓｃｒｉｂｅｒ  Ｄａｔａ  Ｒｅｑｕｅｓｔ」であってもよい。
【００７４】
ＵＥの在圏情報を確認することを要求する情報は、例えば、ＵＥが「ＩＤＬＥ状態」である場合に、ＵＥを「接続状態（ＡＣＴＩＶＥ状態）」へ遷移させるように指示する情報を含んでいてもよい。
【００７５】
或いは、ＨＳＳは、ＭＭＥに対して、在圏確認を要求するための従来の「Ｉｎｓｅｒｔ  Ｓｕｂｓｃｒｉｂｅｒ  Ｄａｔａ  Ｒｅｑｕｅｓｔ（この信号には、例えば、「Ｔ-ＡＤＳ  Ｄａｔａ  Ｒｅｑｕｅｓｔ」が設定される）」を送信し、ＭＭＥが、かかる「Ｉｎｓｅｒｔ  Ｓｕｂｓｃｒｉｂｅｒ  Ｄａｔａ  Ｒｅｑｕｅｓｔ」の受信を契機に、自律的に下記に述べるステップＳ３００３を実施するよう構成されていてもよい。
【００７６】
ここで、ＨＳＳは、ＳＧＳＮ及びＭＭＥに対して、上述の在圏確認要求信号を送信してもよいし、ＭＳＣ及びＭＭＥに対して、上述の在圏確認要求信号を送信してもよいし、ＭＳＣ及びＳＧＳＮ及びＭＭＥに対して、上述の在圏確認要求信号を送信してもよい。
【００７７】
かかる場合、ＳＧＳＮ或いはＭＳＣが、ＨＳＳから在圏確認要求信号を受信した場合、図２や図４や図６に述べるｅＮＢ及びＭＭＥを、ＲＮＣ及びＳＧＳＮ（或いは、ＭＳＣ）に置き換えた場合と同様、いずれかの処理を実施する。
【００７８】
ステップＳ３００３において、ＭＭＥは、ＵＥのコンテキスト情報の有効性（コンテキストの有無判定等を含む）及びＵＥの状態を確認する。図６の例では、ＭＭＥは、有効なＵＥのコンテキスト情報を保持していないことを確認する。
【００７９】
ステップＳ３００４において、ＭＭＥは、ＨＳＳに対して、ＵＥが在圏しないことを示す在圏確認結果を含む在圏確認応答信号を送信する。
【００８０】
なお、かかる情報は、従来規定されている在圏するＲＡＴに係る情報（例えば、ＲＡＴ種別や最終アクセス時刻等）のみで構成されていてもよいし、ＵＥが在圏しないことを新たに示す情報を含んでもよい。
【００８１】
なお、図６の動作は、ｅＮＢがＲＮＣであり、ＭＭＥがＳＧＳＮ又はＭＳＣであるケースにおいても、同様に行われる。
【００８２】
なお、本発明に係る移動通信システムは、「Ｔ-ＡＤＳ」機能が用いられている場合に限定されず、ＭＭＥ/ＳＧＳＮ（ＭＳＣ）がＨＳＳから上述の在圏確認要求信号を受信した全てのケースに適用されるものである。
【００８３】
本発明の第１の実施形態に係る移動通信システムによれば、ＭＭＥやＳＧＳＮが、ＵＥが在圏するＲＡＴを判断した後、ＨＳＳに対して応答している間に、ＵＥが在圏するＲＡＴの切り替えを制限するように構成されているため、ＨＳＳが、正確なＵＥが在圏するＲＡＴに係る情報を取得することができる。
【００８４】
以上に述べた本実施形態の特徴は、以下のように表現されていてもよい。
【００８５】
本実施形態の第１の特徴は、Ｅ-ＵＴＲＡＮ（第１通信方式の無線アクセスネットワーク）及びＵＴＲＡＮ/ＧＥＲＡＮ（第２通信方式の無線アクセスネットワーク）を具備する移動通信システムにおいて、ＵＥ（移動局）が在圏するＲＡＴ（無線アクセスネットワーク）を判定する移動通信方法であって、ＭＭＥ（第１通信方式のノード）及びＳＧＳＮ/ＭＳＣ（第２通信方式のノード）の少なくとも一方が、ＨＳＳ（加入者管理サーバ）から在圏確認要求信号を受信した場合、ｅＮＢ又はＲＮＣに対して、ＵＥが在圏するＲＡＴの切り替えを制限するように指示する無線切り替え制限情報を送信する工程Ａと、ＭＭＥ及びＳＧＳＮ/ＭＳＣの少なくとも一方が、ＨＳＳに対して、ＵＥが在圏するＲＡＴに係る情報を含む在圏確認結果を送信する工程Ｂとを有することを要旨とする。
【００８６】
本実施形態の第１の特徴において、工程Ａは、ＭＭＥ及びＳＧＳＮ/ＭＳＣの少なくとも一方が、接続するｅＮＢ及びＲＮＣの少なくとも一方を介して、ＵＥに対するＰａｇｉｎｇ（呼び出し信号）を送信する工程と、ＭＭＥ及びＳＧＳＮ/ＭＳＣの少なくとも一方が、ＵＥのネットワークへの接続処理において、ＵＥが在圏するＲＡＴに対して、ＲＡＴの切り替えを制限するように指示する無線切り替え制限情報を送信する工程とを有してもよい。
【００８７】
本実施形態の第１の特徴において、無線切り替え制限情報は、ＵＥが在圏するＲＡＴの切り替えを制限する期間を含んでいてもよい。
【００８８】
本実施形態の第１の特徴において、ＵＥのハンドオーバを行う否かについて判断する際に用いられる閾値を含んでいてもよい。
【００８９】
本実施形態の第２の特徴は、ＭＭＥ、ＳＧＳＮ又はＭＳＣであって、ＨＳＳから在圏確認要求信号を受信した場合、ｅＮＢ又はＲＮＣに対して、ＵＥが在圏するＲＡＴの切り替えを制限するように指示する無線切り替え制限情報を送信するように構成されており、ＨＳＳに対して、ＵＥが在圏するＲＡＴに係る情報を含む在圏確認結果を送信するように構成されていることを要旨とする。
【００９０】
本実施形態の第３の特徴は、ｅＮＢ又はＲＮＣ（無線アクセスネットワーク装置）であって、在圏ＭＭＥ、在圏ＳＧＳＮ又は在圏ＭＳＣから、ＵＥが在圏するＲＡＴの切り替えを制限するように指示する無線切り替え制限情報を受信した場合、かかる無線切り替え制限情報に基づいて、ＵＥが在圏するＲＡＴの切り替えを制限するように構成されていることを要旨とする。
【００９１】
なお、上述のＵＥやＲＮＣやｅＮＢやＳＧＳＮやＭＳＣやＭＭＥやＳ/Ｐ-ＧＷやＨＳＳや等の動作は、ハードウェアによって実施されてもよいし、プロセッサによって実行されるソフトウェアモジュールによって実施されてもよいし、両者の組み合わせによって実施されてもよい。
【００９２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやＲＮＣやｅＮＢやＳＧＳＮやＭＳＣやＭＭＥやＳ/Ｐ-ＧＷやＨＳＳ等内に設けられていてもよい。また、かかる記憶媒体及びプロセッサは、ディスクリートコンポーネントとしてＵＥやＲＮＣやｅＮＢやＳＧＳＮやＭＳＣやＭＭＥやＳ/Ｐ-ＧＷやＨＳＳ等内に設けられていてもよい。
【００９４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９５】
ＨＳＳ…加入者管理サーバ
ＭＭＥ…移動管理ノード
ＳＧＳＮ…パケット交換機
ＭＳＣ…回線交換機
ｅＮＢ…無線基地局
ＲＮＣ…無線回線制御局
ＵＥ…移動局
【図１】
0005615194.tif 000002
【図２】
0005615194.tif 000003
【図３】
0005615194.tif 000004
【図４】
0005615194.tif 000005
【図５】
0005615194.tif 000006
【図６】
0005615194.tif 000007